(57)【要約】【課題】自動取引装置の設置作業の簡易化を実現する。【解決手段】自動取引装置を固定する固定具４０は、複数のプレート部材（例えば、少なくとも中央プレート４１Ｃと右プレート４１Ｒと左プレート４１Ｌとを含む、３つ以上のプレート部材）で組み立てられた設置プレート４１を有している。設置プレート４１は、自動取引装置を固定する装置固定機構（埋め込みボルト５１）を備えているとともに、設置プレート４１の底部の面積が自動取引装置の底部の面積よりも小さい構成になっている。【選択図】図４Ａ
2019046127.tif 000002
【特許請求の範囲】
【請求項１】
自動取引装置を固定する固定具であって、
複数のプレート部材で組み立てられた設置プレートを有し、
前記設置プレートは、前記自動取引装置を固定する装置固定機構を備えているとともに、当該設置プレートの底部の面積が前記自動取引装置の底部の面積よりも小さい
ことを特徴とする固定具。
【請求項２】
請求項１に記載の固定具において、
前記設置プレートは、少なくとも中央プレートと右プレートと左プレートとを含む、３つ以上のプレート部材で組み立てられている
ことを特徴とする固定具。
【請求項３】
請求項２に記載の固定具において、
前記右プレートと前記左プレートとは、それぞれ、前記中央プレートの上に取り付けられているとともに、
前記中央プレートの下面には、弾性部材が取り付けられており、
前記右プレートと前記左プレートとは、それぞれ、下方向に突出する下方向突出部を備えており、
前記下方向突出部の高さは、前記中央プレートの厚さと前記弾性部材の厚さとの合計の厚さに略等しい
ことを特徴とする固定具。
【請求項４】
請求項２又は請求項３に記載の固定具において、
前記右プレートと前記左プレートとは、それぞれ、上方向に突出する上方向突出部を備えている
ことを特徴とする固定具。
【請求項５】
請求項４に記載の固定具において、
前記上方向突出部は、前記自動取引装置の底部に取り付けられたキャスタ及び脚部のいずれか一方又は双方の走行に用いる通路部を形成している
ことを特徴とする固定具。
【請求項６】
請求項２乃至請求項５のいずれか一項に記載の固定具において、
前記右プレートと前記左プレートとは、それぞれ、前記自動取引装置の脚部を保持する保持部を備えている
ことを特徴とする固定具。
【請求項７】
請求項１乃至請求項６のいずれか一項に記載の固定具において、
前記設置プレートは、後フットガードと右フットガードと左フットガードと前フットガードとを取り付け及び取り外し可能である
ことを特徴とする固定具。
【請求項８】
請求項７に記載の固定具において、
前記後フットガードは、前記自動取引装置の前後方向の設置位置を規制する
ことを特徴とする固定具。
【請求項９】
請求項７又は請求項８に記載の固定具において、
前記後フットガードには、コードを通すための開口部が設けられている
ことを特徴とする固定具。
【請求項１０】
請求項１に記載の固定具において、
前記設置プレートは、少なくとも右プレートと左プレートとを含む、２つ以上のプレート部材で組み立てられており、
前記右プレートと前記左プレートとは、それぞれ、前記自動取引装置の脚部を保持する保持部を備えている
ことを特徴とする固定具。
【請求項１１】
請求項１０に記載の固定具において、
前記右プレートと前記左プレートとは、それぞれ、下部材と上部材とで組み立てられており、
前記下部材は、フットガードとして機能する一体化された側板部と底板部とで組み立てられ、
前記上部材は、前記保持部を備えている
ことを特徴とする固定具。
【請求項１２】
請求項１乃至請求項１１のいずれか一項に記載の固定具に固定可能である
ことを特徴とする自動取引装置。
【請求項１３】
請求項１２に記載の自動取引装置において、
自動取引装置本体の周囲を部分的に覆うブース筐体を有しており、
前記自動取引装置本体の側壁面とその側壁面に対向する前記ブース筐体の内壁面との間には、コードを収納可能な隙間が設けられている
ことを特徴とする自動取引装置。
【請求項１４】
請求項１３に記載の自動取引装置において、
前記隙間には、当該隙間の前側部分を外部から封鎖する隙間埋め部材が配置されており、
前記コードは、前記隙間埋め部材よりも後方の位置で配線されている
ことを特徴とする自動取引装置。
【請求項１５】
請求項１４に記載の自動取引装置において、
前記隙間埋め部材は、入れ子状に複数配置されている
ことを特徴とする自動取引装置。
【請求項１６】
請求項１２乃至請求項１５のいずれか一項に記載の自動取引装置において、
自動取引装置本体の前側下部に取り付けられた本体フットガードと、
前記固定具の設置プレートに取り付けられた前フットガードと、を有し、
前記本体フットガードと前記前フットガードとは、前記自動取引装置本体が前記固定具に固定された状態において、前記自動取引装置本体の前方から前記自動取引装置本体の下への異物の侵入を二重に防止する侵入防止機構を構成している
ことを特徴とする自動取引装置。
【発明の詳細な説明】
【技術分野】
【０００１】
本発明は、固定具、及び、当該固定具に固定可能な自動取引装置に関する。
【背景技術】
【０００２】
自動的に取引処理を実行する自動取引装置として、例えば、現金自動預け払い機（ＡＴＭ）や現金自動支払い機（ＣＤ）、自動販売機、発券機等の装置が広く普及している。自動取引装置は、地震発生時に転倒しないように、固定具で固定されている。
【０００３】
固定具については、例えば、特許文献１に記載された構造のものがある。
その特許文献１には、粘着ゲル材とベースパネルとが積層された複数の粘着パーツの上に自動取引装置を載置して、粘着パーツと自動取引装置とを固定する構造の固定具が記載されている（特許文献１の図４参照）。以下、この構造の固定具を「第１従来例の固定具」と称する。
【０００４】
また、特許文献１には、粘着ゲル材とベースパネルとが積層された複数の粘着パーツの上に上部パネルを設け、その上に自動取引装置を載置して、上部パネルを介して粘着パーツと自動取引装置とを固定する構造の固定具も記載されている（特許文献１の図６参照）。上部パネルは、矩形の形状を呈しており、サイズが自動取引装置の底部の面積と同等かそれ以上の大きさになっている。以下、この構造の固定具を「第２従来例の固定具」と称する。
【０００５】
また、固定具については、例えば、下面にジェルマットが貼り付けられた矩形の設置プレートの上に自動取引装置を載置して、設置プレートと自動取引装置とを固定する構造のものも知られている。ジェルマットは、振動を吸収する弾性部材である。設置プレートは、矩形の形状を呈しており、サイズが自動取引装置の底部の面積と同等かそれ以上の大きさになっている。以下、この構造の固定具を「第３従来例の固定具」と称する。
【先行技術文献】
【特許文献】
【０００６】
【特許文献１】特開２０１４−４４５８２号公報（図４、図６）
【発明の概要】
【発明が解決しようとする課題】
【０００７】
しかしながら、前記した第１乃至第３従来例の固定具は、それぞれ、以下に説明するように、自動取引装置の設置作業の簡易化を実現することが望まれていた。
【０００８】
例えば、前記した第１及び第２従来例の固定具は、複数の部材（粘着パーツ）が単独で存在するため、自動取引装置を設置場所に良好に固定するためには、複数の部材（粘着パーツ）のそれぞれを床面の規定の位置に正確に設置して、複数の部材（粘着パーツ）のそれぞれと自動取引装置とを良好に固定する必要がある。このような第１及び第２従来例の固定具は、複数の部材（粘着パーツ）のそれぞれを床面の規定の位置に正確に設置する設置作業に手間を要するとともに、設置作業に時間を要する、という課題があった。したがって、第１及び第２従来例の固定具は、複数の部材（粘着パーツ）のそれぞれを床面の規定の位置に正確に設置する設置作業を不要にして、自動取引装置の設置作業の簡易化を実現することが望まれていた。
【０００９】
また、例えば、前記した第２従来例の固定具の上部パネルは、自動取引装置の底部の面積と同等かそれ以上の大きさになっている。同様に、前記した第３従来例の固定具の設置プレートも、自動取引装置の底部の面積と同等かそれ以上の大きさになっている。そのため、第２従来例の固定具の上部パネル又は第３従来例の固定具の設置プレートの底部の面積が比較的大きくなっている。このような第２及び第３従来例の固定具は、比較的狭い設置場所に設置される場合に、周囲の部材にぶつかることがあるため、設置し難いときがある、という課題があった。したがって、第２及び第３従来例の固定具は、比較的狭い設置場所に設置し易い構造にして、自動取引装置の設置作業の簡易化を実現することが望まれていた。
【００１０】
なお、前記した「比較的狭い設置場所」とは、面積のゆとりが無い場所を意味している。「比較的狭い設置場所」としては、面積が自動取引装置の底部の面積と略同等の大きさで、かつ、例えば、店舗の角部分の場所や他の装置が近接して配置された場所等のように、店舗の壁面や他の装置の壁面等で周囲が囲まれている場所がある。
【００１１】
本発明は、前記した課題を解決するためになされたものであり、自動取引装置の設置作業の簡易化を実現する固定具、及び、当該固定具に固定可能な自動取引装置を提供することを主な目的とする。
【課題を解決するための手段】
【００１２】
前記目的を達成するため、第１発明は、自動取引装置を固定する固定具であって、複数のプレート部材で組み立てられた設置プレートを有し、前記設置プレートは、前記自動取引装置を固定する装置固定機構を備えているとともに、当該設置プレートの底部の面積が前記自動取引装置の底部の面積よりも小さい構成とする。
また、第２発明は、自動取引装置であって、第１発明に係る固定具に固定可能である構成とする。
【発明の効果】
【００１３】
本発明によれば、自動取引装置の設置作業の簡易化を実現することができる。
【図面の簡単な説明】
【００１４】
【図１Ａ】実施形態に係る自動取引装置の正面図である。
【図１Ｂ】実施形態に係る自動取引装置の斜視図である。
【図２Ａ】実施形態に係るブース筐体の概略図である。
【図２Ｂ】実施形態に係る自動取引装置の配線構造の概略図である。
【図３】実施形態に係る自動取引装置の配線手順の説明図である。
【図４Ａ】実施形態に係る固定具の斜視図である。
【図４Ｂ】実施形態に係る固定具の分解図である。
【図５】実施形態に係る自動取引装置の設置作業手順を示すフローチャートである。
【図６Ａ】実施形態に係る自動取引装置の設置作業手順の説明図（１）である。
【図６Ｂ】実施形態に係る自動取引装置の設置作業手順の説明図（２）である。
【図６Ｃ】実施形態に係る自動取引装置の設置作業手順の説明図（３）である。
【図６Ｄ】実施形態に係る自動取引装置の設置作業手順の説明図（４）である。
【図６Ｅ】実施形態に係る自動取引装置の設置作業手順の説明図（５）である。
【図６Ｆ】実施形態に係る自動取引装置の設置作業手順の説明図（６）である。
【図６Ｇ】実施形態に係る自動取引装置の設置作業手順の説明図（７）である。
【図６Ｈ】実施形態に係る自動取引装置の設置作業手順の説明図（８）である。
【図６Ｉ】実施形態に係る自動取引装置の設置作業手順の説明図（９）である。
【図６Ｊ】実施形態に係る自動取引装置の設置作業手順の説明図（１０）である。
【図６Ｋ】実施形態に係る自動取引装置の設置作業手順の説明図（１１）である。
【図７Ａ】変形例に係る固定具の概略上面図である。
【図７Ｂ】変形例に係る固定具の概略斜視図である。
【図７Ｃ】変形例に係る固定具の左プレートの組立図である。
【図７Ｄ】変形例に係る固定具の左プレートの概略正面図である。
【図８】第１比較例の自動取引装置の概略図である。
【図９】第２比較例の自動取引装置の概略図である。
【図１０】第３比較例の自動取引装置の概略図である。
【発明を実施するための形態】
【００１５】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１６】
［実施形態］
本実施形態は、以下の点が考慮された固定具、及び、その固定具に固定可能な自動取引装置を提供することを意図している。
【００１７】
（１）前記した第１及び第２従来例の固定具は、複数の部材（粘着パーツ）のそれぞれを床面の規定の位置に正確に設置する設置作業を不要にして、自動取引装置の設置作業の簡易化を実現することが望まれていた。そこで、本実施形態は、複数の部材（粘着パーツ）のそれぞれを床面の規定の位置に正確に設置する設置作業を不要にした固定具４０（図４Ａ参照）を提供することを意図している。
【００１８】
（２）第２及び第３従来例の固定具は、比較的狭い設置場所に設置し易い構造にして、自動取引装置の設置作業の簡易化を実現することが望まれていた。そこで、本実施形態は、比較的狭い設置場所への設置性能に優れた固定具４０（図４Ａ参照）を提供することを意図している。
【００１９】
（３）本実施形態は、以下に説明するように、運搬性に優れた固定具４０（図４Ａ参照）を提供することを意図している。
【００２０】
例えば、前記した第２従来例の固定具の上部パネルは、自動取引装置の底部の面積と同等かそれ以上の大きさになっている。同様に、前記した第３従来例の固定具の設置プレートも、自動取引装置の底部の面積と同等かそれ以上の大きさになっている。そのため、第２及び第３従来例の固定具は、重量が比較的重くなっている。このような第２及び第３従来例の固定具は、運搬性能が悪いため、運搬時に比較的大きな負担を作業者にかけてしまう、という課題があった。したがって、第２及び第３従来例の固定具は、運搬時に作業者にかかる負担を軽減して、自動取引装置の設置作業の簡易化を実現することが望まれていた。そこで、本実施形態は、運搬性に優れた固定具４０（図４Ａ参照）を提供することを意図している。
【００２１】
（４）本実施形態は、以下に説明するように、比較的狭い設置場所からの撤去性能に優れた固定具４０（図４Ａ参照）を提供することを意図している。
【００２２】
例えば、前記した第３従来例の固定具の設置プレートは、矩形の形状を呈しており、自動取引装置の底部の面積と同等かそれ以上の大きさになっている。そして、第３従来例の固定具の設置プレートは、その下面にジェルマットが貼り付けられている。このような第３従来例の固定具は、比較的狭い設置場所に一旦設置された後に、別の場所に移設される場合に、以下に説明するように、設置場所から撤去し難いときがある、という課題があった。したがって、第３従来例の固定具は、比較的狭い設置場所から撤去し易い構造にして、自動取引装置の設置作業の簡易化を実現することが望まれていた。
【００２３】
具体的には、金融機関や流通機関等の店舗が移転する場合に、店舗に設置されていた自動取引装置の移設が行われ、それに伴って、第３従来例の固定具の移設も行われる。第３従来例の固定具の移設時には、移設元の設置場所からの固定具の撤去作業が行われる。その際に、移設元の設置場所の床面からジェルマットを引き剥がす作業（ジェルマットの剥がし作業）が行われる。しかしながら、第３従来例の固定具は、移設元の設置場所が前記した「比較的狭い設置場所」である場合に、設置場所との間に隙間が少ないため、ジェルマットの貼り付け箇所に作業者の手が入らないときがある。この場合に、作業者は、ジェルマットに接触し難いため、ジェルマットの剥がし作業を行い難い。特に、第３従来例の固定具の後面付近に貼り付けられたジェルマットは、作業者の手が入り難い箇所に貼り付けられているため、剥がし作業を行い難い。そのため、第３従来例の固定具は、設置場所から撤去し難いときがある、という課題があった。
【００２４】
なお、作業者は、ジェルマットの剥がし作業を行い難い場合に、第３従来例の固定具の前面側から固定具の下に工具を入れて、ジェルマットの剥がし作業を行う。そのため、作業者は、ジェルマットの剥がし作業を行い難い場合に備えて、ジェルマットの剥がし作業用の工具を移設元の設置場所に持って行く必要がある。したがって、第３従来例の固定具は、ジェルマットの剥がし作業用の工具を移設元の設置場所に持って行く負担を作業者にかけてしまう、という課題もあった。また、作業者は、ジェルマットの貼り付け箇所に手が入るか否かを検証して、手が入らないときに工具を用いてジェルマットの剥がし作業を行う。そのため、第３従来例の固定具は、固定具の撤去作業に時間を要するときがある、という課題もあった。
【００２５】
そこで、本実施形態は、比較的狭い設置場所からの撤去性能に優れた固定具４０（図４Ａ参照）を提供することを意図している。
【００２６】
（５）前記した第１乃至第３従来例の固定具は、いずれも、異物の侵入を防止するフットガードの取り付け及び取り外しを容易化することが考慮された構造にはなっていなかった。そこで、本実施形態は、フットガードの取り付け及び取り外しを容易化することが考慮された固定具４０（図４Ａ参照）を提供することを意図している。
【００２７】
（６）前記した第１乃至第３従来例の固定具は、いずれも、外部のネットワーク回線に接続されるコードを配線することが考慮された構造にはなっていなかった。そこで、本実施形態は、コードを配線することが考慮された固定具４０（図４Ａ参照）を提供することを意図している。特に、本実施形態は、装置本体の周囲を部分的に覆うブース筐体が取り付けられ、そのブース筐体の内部でコードを配線する構造になっている自動取引装置に用いることができる固定具４０（図４Ａ参照）を提供することを意図している。
【００２８】
＜自動取引装置の全体構成＞
以下、図１Ａ及び図１Ｂを参照して、本実施形態に係る自動取引装置１の全体構成につき説明する。図１Ａは、自動取引装置１の正面図である。図１Ｂは、自動取引装置１の斜視図である。
【００２９】
自動取引装置１としては、例えば、現金自動預け払い機（ＡＴＭ）や現金自動支払い機（ＣＤ）、自動販売機、発券機等の装置がある。ここでは、自動取引装置１が現金自動預け払い機（ＡＴＭ）である場合を想定して説明する。
【００３０】
図１Ａ及び図１Ｂに示すように、本実施形態に係る自動取引装置１は、取引処理を実行する装置本体２と、装置本体２の周囲を部分的に覆うブース筐体２０とを有しており、固定具４０によって任意の設置場所に固定されている。
【００３１】
装置本体２は、表示入力部３と、カード明細口４と、紙幣口５と、番号入力部６とを有している。
表示入力部３は、タッチパネルディスプレイで構成され、各種の情報の表示及び入力受付を行う構成要素である。
カード明細口４は、キャッシュカードや振込カード等のカード類の挿入排出や、取引明細票（レシート）の排出を行う部位である。
紙幣口５は、入金取引時や出金取引時に紙幣の挿入排出を行う部位である。
番号入力部６は、取引時に暗証番号の入力受付を行う構成要素である。
【００３２】
装置本体２の前側下部には、開閉可能な前扉７が配置されている。前扉７の奥には、引き出し可能な内部ユニット１３（図６Ｆ参照）が配置されている。内部ユニット１３は、現金を収納する金庫や現金を搬送する機構等が組み込まれたユニットである。前扉７の底部には、本体フットガード７ｆｔが取り付けられている。本体フットガード７ｆｔは、装置本体２の前方から装置本体２の下への異物の侵入を防止するためのプレート部材である。
【００３３】
ブース筐体２０は、自動取引装置１への各種の電子装置の実装性能を向上するとともに、電子装置に接続されるコード３６（図２Ｂ参照）の保護性能を向上するために、自動取引装置１の装置本体２に取り付けられている。コード３６（図２Ｂ参照）は、外部のネットワーク回線に接続され、店舗の壁面に沿って敷設された外部配線である。
【００３４】
ブース筐体２０は、好ましくは、設置場所での設置作業の簡略化及び設置作業時間の短縮化を実現するために、自動取引装置１の工場出荷時において既に装置本体２に取り付けられているとよい。
【００３５】
本実施形態では、ブース筐体２０は、広告やアナウンス情報等を表示する上表示部３１を実装している。上表示部３１は、装置本体２の上方に配置されている。上表示部３１は、左端部が図示せぬ回転支点部によって軸支されており、回転支点部で回動して開閉する構造になっている（図２Ｂ参照）。
【００３６】
ブース筐体２０の下部空間２２（図２Ａ参照）の前側部分には、コード３６（図２Ｂ参照）を収納可能な隙間３３が形成されている。コード３６（図２Ｂ参照）は、隙間３３に沿って配線される。隙間３３の前側部分は、隙間埋め部材３４で外部から封鎖されている。
【００３７】
＜自動取引装置の配線構造＞
以下、図２Ａ及び図２Ｂを参照して、自動取引装置１の配線構造につき説明する。図２Ａは、ブース筐体２０の概略図である。図２Ｂは、自動取引装置１の配線構造の概略図である。
【００３８】
図２Ａに示すように、ブース筐体２０は、上部空間２１と、下部空間２２とを有している。
上部空間２１は、様々な電子装置が収納される空間である。図示例では、上部空間２１の内部に棚２４が配置されている。その棚２４には、例えば、上表示部３１の動作を制御する制御装置２５や、外部装置との間で通信処理を実行する通信装置３２等の電子装置が載置される（図２Ｂ参照）。
下部空間２２は、装置本体２が収納される空間である。
【００３９】
上部空間２１と下部空間２２との間は、仕切り板２３によって仕切られている。仕切り板２３の前面の右端部及び左端部のいずれか一方又は双方（図２Ａに示す例では、双方）には、コード３６（図２Ｂ参照）を通すための切欠部２３ａが形成されている。
【００４０】
仕切り板２３の中央付近には、ネジ留め用の挿通孔２６が設けられている。仕切り板２３は、挿通孔２６に通される図示せぬネジによって、装置本体２の天板に固定される。
【００４１】
ブース筐体２０の下端部付近には、ネジ留め用の挿通孔２７が設けられている。ブース筐体２０の下端部は、挿通孔２７に通される図示せぬネジによって、装置本体２の側板や後板に固定される。
【００４２】
図２Ｂに示すように、コード３６は、固定具４０に設けられたコード引き込み部４３を介して、固定具４０の外部から内部に引き込まれる。コード３６は、通信装置３２に接続可能な接続端子を有している。コード３６は、先端部がブース筐体２０の上部空間２１に収納された通信装置３２に接続されるように、ブース筐体２０の上部空間２１から下部空間２２に亘って配線される。
【００４３】
＜自動取引装置の配線手順＞
以下、図３を参照して、自動取引装置１の配線手順につき説明する。図３は、自動取引装置１の配線手順の説明図である。図３（ａ）は、自動取引装置１の下側部分を水平方向に切断した場合の構造を模式的に示している。図３（ｂ）乃至図３（ｄ）は、図３（ａ）の領域Ａを拡大して示している。図３（ｂ）は、コード３６を配線する前の状態を示している。図３（ｃ）は、コード３６を配線している最中の状態を示している。図３（ｄ）は、コード３６を配線した後の状態を示している。
【００４４】
図３（ａ）に示すように、装置本体２の側壁面８とその側壁面８に対向するブース筐体２０の内壁面２８との間には、隙間３３が形成されている。隙間３３の前側部分には、隙間３３の内部への異物の侵入を防止するための隙間埋め部材３４が配置されている。隙間埋め部材３４は、弾性部材（例えば、スポンジ）で構成されており、指で押し込める程度の反発力を有している。
【００４５】
隙間埋め部材３４は、悪意ある者が隙間３３の内部に異物を故意に入れることを防止できるように、好ましくは、入れ子状に複数配置された構造になっているとよい。本実施形態では、隙間埋め部材３４は、ブース筐体２０の内壁面２８に取り付けられた隙間埋め部材３４ａと装置本体２の側壁面８に取り付けられた隙間埋め部材３４ｂとが入れ子状に配置された構造になっている。
【００４６】
自動取引装置１の設置作業者（以下、単に「作業者」と称する）は、図６Ｃに示すように、コード引き込み部４３を介して、店舗の壁面に沿って敷設されたコード３６の先端部を固定具４０の外部から内部に引き込む。そして、作業者は、図２Ｂに示すように、コード３６の先端部を固定具４０の内部から外部に引き出して、ブース筐体２０の上部空間２１に収納された通信装置３２に接続する。ただし、このとき、図３（ｂ）に示すように、コード３６の途中部分は、ブース筐体２０の外部に配置されている。つまり、このとき、コード３６の途中部分は、外側の隙間埋め部材３４ａよりも外側に配置されている。
【００４７】
次に、作業者は、コード３６の途中部分を外側の隙間埋め部材３４ａに沿わせて配置する。そして、図３（ｃ）に示すように、作業者は、手で隙間埋め部材３４を圧縮方向に押し込んでコード３６を通すための空間を一時的に形成し、コード３６の途中部分を上から下に向かって（又は、下から上に向かって）その空間の中に順次押し込む。これにより、コード３６の途中部分が隙間３３の内部に収納される。
【００４８】
コード３６の途中部分が隙間３３の内部に収納された後に、作業者が隙間埋め部材３４から手を離すと、図３（ｄ）に示すように、隙間埋め部材３４は、復元する。これにより、隙間埋め部材３４が隙間３３の前側部分を外部から封鎖する。このとき、コード３６の途中部分は、ブース筐体２０の隙間３３の内部で、仕切り板２３の切欠部２３ａ（図２Ｂ参照）から垂れ下がった状態で配線される。
【００４９】
この状態において、ブース筐体２０は、意図せぬ負荷がコード３６にかからないように、コード３６を保護することができる。また、ブース筐体２０は、仮に悪意ある者がコード３６に接触することができないように、コード３６を保護することができる。また、ブース筐体２０は、自動取引装置１の設置場所からほとんど移動させることなく、作業者にコード３６の配線作業を行わせることができる。
【００５０】
なお、本実施形態では、ブース筐体２０は、入れ子状に配置された２つの隙間埋め部材３４ａ，３４ｂで隙間３３の内部を外部から隠蔽している。作業者は、コード３６に接触する場合に、外側の隙間埋め部材３４ａと内側の隙間埋め部材３４ｂとの双方を押し込み、図示せぬ工具でコード３６を引っ掛けて、コード３６を隙間３３の内部から外部に引き出す。このようなブース筐体２０は、仮に工具を持っていない悪意ある者が悪戯でコード３６に接触しようとすることがあったとしても、隙間埋め部材３４ａ，３４ｂを押し込んで隙間３３の内部に手を入れるだけでは、手がコード３６に手が届かないため、コード３６に接触することを阻止することができる。また、ブース筐体２０は、仮に悪意ある者が悪戯で外側の隙間埋め部材３４ａを押し込んで異物を隙間３３の内部に故意に入れようとすることがあったとしても、内側の隙間埋め部材３４ｂでそれを阻止することができる。
【００５１】
＜固定具の構成＞
以下、図４Ａ及び図４Ｂを参照して、固定具４０の構成につき説明する。図４Ａは、固定具４０の斜視図である。図４Ｂは、固定具４０の分解図である。
【００５２】
図４Ａに示すように、固定具４０は、設置プレート４１と、フットガード４２と、ジェルマット６０とを有している。
設置プレート４１は、自動取引装置１を設置場所に固定するためのプレート部材である。
フットガード４２は、自動取引装置１の下への異物の侵入を防止するためのプレート部材である。
ジェルマット６０は、振動を吸収するための弾性部材である。
【００５３】
設置プレート４１の底部の面積は、自動取引装置１の底部の面積よりも小さくなっている。設置プレート４１は、下面にジェルマット６０が粘着力で貼り付けられた状態で設置場所の床面に敷設される。その際に、ジェルマット６０が粘着力で床面に貼り付くことにより、設置プレート４１は設置場所に固定される。フットガード４２は、設置プレート４１の周囲に取り付けられる。
【００５４】
設置プレート４１は、複数のプレート部材で組み立てられている。本実施形態では、設置プレート４１は、中央プレート４１Ｃと右プレート４１Ｒと左プレート４１Ｌとの３つプレート部材で組み立てられている。中央プレート４１Ｃと右プレート４１Ｒと左プレート４１Ｌとは、それぞれ、装置本体２の下方の中央部と右側と左側とに配置されるプレート部材である。ただし、設置プレート４１は、３つプレート部材のいずれか１乃至複数を分割したり、新たなプレート部材を付加したりすることにより、４つ以上のプレート部材で組み立てることも可能である。
【００５５】
固定具４０は、設置プレート４１を比較的小型でかつ重量の軽い複数のプレート部材に分割して運搬することができる。そのため、固定具４０は、設置場所への運搬性及び設置の簡易性を向上させることができ、運搬時に作業者にかかる負担を軽減することができる。
【００５６】
固定具４０は、フットガード４２によって自動取引装置１の下への異物の侵入を防止することができる。なお、「異物」としては、自動取引装置１の操作中に顧客が落とした落下物がある。その落下物としては、例えば、紙幣や硬貨等の現金、キャッシュカードや振込カード等のカード類、取引明細票（レシート）等の取り扱い媒体がある。
【００５７】
フットガード４２は、複数のプレート部材で組み立てられている。本実施形態では、フットガード４２は、前フットガード４２Ｆと後フットガード４２Ｂと右フットガード４２Ｒと左フットガード４２Ｌとの４つプレート部材で組み立てられている。前フットガード４２Ｆと後フットガード４２Ｂと右フットガード４２Ｒと左フットガード４２Ｌとは、それぞれ、装置本体２の底部の前側と後側と右側と左側とに配置されるプレート部材である。ただし、フットガード４２は、４つプレート部材のいずれかを分割したり、新たなプレート部材を付加したりすることにより、５つ以上のプレート部材で組み立てることも可能である。
【００５８】
ジェルマット６０は、粘着力で、設置プレート４１と設置場所の床面とを固定する。また、ジェルマット６０は、制振機能を有しており、地震発生時に自動取引装置１の揺れを抑制する。
【００５９】
（設置プレートの構成）
図４Ｂに示すように、中央プレート４１Ｃは、矩形で、かつ、平坦な板状の形状を呈している。特に、中央プレート４１Ｃの下面の角部近傍Ｐ６０は、平坦な部位となっている。その角部近傍Ｐ６０には、ジェルマット６０が粘着力によって貼り付けられる。
【００６０】
中央プレート４１Ｃの上面には、雄ネジ部である埋め込みボルト５１が略鉛直方向に立設されている。埋め込みボルト５１には、装置本体２の底板９（図６Ｈ参照）を介して、雌ネジ部であるインサートナット５２が取り付けられる。埋め込みボルト５１は、インサートナット５２とともに、自動取引装置１を固定する装置固定機構として機能する。ただし、固定具４０は、中央プレート４１Ｃに雌ネジ部を設け、その雌ネジ部に雄ネジ部を取り付ける構造にしてもよい。
【００６１】
右プレート４１Ｒと左プレート４１Ｌとは、前後方向に長尺で、かつ、フットガード４２を取り付けることができるように、立体的な構造になっている。中央プレート４１Ｃと右プレート４１Ｒと左プレート４１Ｌとは、それぞれに対応する複数箇所にネジ留め用の挿通孔４７が設けられている。右プレート４１Ｒと左プレート４１Ｌとは、中央プレート４１Ｃの上に載置され、挿通孔４７に通されるネジ４９（図４Ａ参照）によって中央プレート４１Ｃに固定される。
【００６２】
右プレート４１Ｒの前後方向の長さは、中央プレート４１Ｃの前後方向の長さよりも長くなっている。また、右プレート４１Ｒの左右方向の長さ（横幅）は、中央プレート４１Ｃの左右方向の長さ（横幅）よりも短くなっている。右プレート４１Ｒは、その前端部が中央プレート４１Ｃの前辺よりも前方に突出するとともに、その後端部が中央プレート４１Ｃの後辺よりも後方に突出するように、配置される。
【００６３】
同様に、左プレート４１Ｌの前後方向の長さは、中央プレート４１Ｃの前後方向の長さよりも長くなっている。また、左プレート４１Ｌの左右方向の長さ（横幅）は、中央プレート４１Ｃの左右方向の長さ（横幅）よりも短くなっている。左プレート４１Ｌは、その前端部が中央プレート４１Ｃの前辺よりも前方に突出するとともに、その後端部が中央プレート４１Ｃの後辺よりも後方に突出するように、配置される。
【００６４】
右プレート４１Ｒの前端部は、右端部と左端部とが他の部位から後退した形状になっている。一方、左プレート４１Ｌの前端部は、左端部が他の部位から後退した形状になっている。
【００６５】
右プレート４１Ｒと左プレート４１Ｌとは、それぞれ、下方向に突出する下方向突出部５４を備えている。右プレート４１Ｒでは、右辺及び左辺の前端部が下方向に折り曲げられるとともに、後側部分の床面に対向する面の一部分が切欠かれて下方向に折り曲げられることによって、下方向突出部５４が形成されている。同様に、左プレート４１Ｌでも、右辺及び左辺の前端部が下方向に折り曲げられるとともに、後側部分の床面に対向する面の一部分が切欠かれて下方向に折り曲げられることによって、下方向突出部５４が形成されている。
【００６６】
下方向突出部５４は、右プレート４１Ｒと左プレート４１Ｌの曲げ強度を補強する。下方向突出部５４の高さは、中央プレート４１Ｃの厚さと中央プレート４１Ｃの下面に貼り付けられたジェルマット６０の厚さとの合計の厚さに略等しく（厳密には、ジェルマット６０の圧縮量分に応じて若干短く）なっている。
【００６７】
右プレート４１Ｒと左プレート４１Ｌとは、それぞれ、上方向に突出する上方向突出部５５を備えている。右プレート４１Ｒでは、右辺及び左辺の前端部以外の部分が上方向に折り曲げられるとともに、後辺の一部分又は全部が上方向に折り曲げられることによって、上方向突出部５５が形成されている。同様に、左プレート４１Ｌでも、右辺及び左辺の前端部以外の部分が上方向に折り曲げられるとともに、後辺の一部分又は全部が上方向に折り曲げられることによって、上方向突出部５５が形成されている。
【００６８】
上方向突出部５５は、右プレート４１Ｒと左プレート４１Ｌの曲げ強度を補強する。また、上方向突出部５５は、自動取引装置１の左右方向の位置を規制する左右方向位置決め部として機能する。また、上方向突出部５５は、自動取引装置１の底部に取り付けられたキャスタ及び脚部のいずれか一方又は双方の走行に用いる通路部５６を形成している。自動取引装置１のキャスタは、自動取引装置１の設置時や移設時に通路部５６の上を移動する。
【００６９】
右プレート４１Ｒと左プレート４１Ｌとは、それぞれ、自動取引装置１の後側の脚部を保持する保持部５３を備えている。本実施形態では、右プレート４１Ｒの保持部５３は、右辺に形成された上方向突出部５５の後端部が左方向に折り曲げられることによって、形成されている。一方、左プレート４１Ｌの保持部５３は、左辺に形成された上方向突出部５５の後端部が右方向に折り曲げられることによって、形成されている。右プレート４１Ｒの保持部５３と左プレート４１Ｌの保持部５３とは、互いに対向するように配置されている。右プレート４１Ｒの保持部５３と左プレート４１Ｌの保持部５３とは、自動取引装置１の底部に取り付けられた２つの後側の脚部のシャフト部１５（図６Ｇ参照）を両外側から挟み込むことで、自動取引装置１の２つの後側の脚部を保持する。右プレート４１Ｒの保持部５３の前端部と左プレート４１Ｌの保持部５３の前端部は、それぞれ、斜めに傾斜した形状になっている。これにより、右プレート４１Ｒの保持部５３と左プレート４１Ｌの保持部５３とは、自動取引装置１が後方に押し込まれたときに、２つの後側の脚部のシャフト部１５（図６Ｇ参照）を互いの間に誘導して、自動取引装置１の左右方向の位置を規制することができる。
【００７０】
なお、自動取引装置１の後側の脚部を保持部５３に保持させる動作は、以下のようにして行われる。ここでは、装置本体２の底部の右前側と右後側と左前側と左後側とに、４つのキャスタと、４つの脚部とが取り付けられているものとして説明する。キャスタは、自動取引装置１を移動させるために使用される。各キャスタは、支持部によって回動自在に支持されている。また、各脚部は、上下方向に伸縮可能なシャフト部１５（図６Ｇ参照）によって支持されている。
【００７１】
例えば、作業者は、自動取引装置１の設置時（具体的には、後記する図５のステップＳ１６０の処理時）に、自動取引装置１を設置プレート４１の上に載置する。このとき、作業者は、自動取引装置１の各キャスタを右プレート４１Ｒと左プレート４１Ｌの通路部５６の上に載せて、その状態で自動取引装置１を後方に押し込む。その際に、各キャスタが通路部５６の上を走行する。また、各脚部が通路部５６から上に離間した状態で通路部５６上を移動する。そして、２つの後側の脚部のシャフト部１５（図６Ｇ参照）が右プレート４１Ｒの保持部５３と左プレート４１Ｌの保持部５３との間に入り込む。作業者は、自動取引装置１の固定位置まで自動取引装置１を押し込むと、装置本体２の後端部付近に設けられた突当部２ａ（図６Ｇ参照）が後フットプレート４２Ｂに設けられた前方向突出部４４（図６Ｇ参照）に突き当たる。作業者は、その位置で自動取引装置１を停止させる。このとき、右プレート４１Ｒの保持部５３と左プレート４１Ｌの保持部５３とは、自動取引装置１の底部に取り付けられた２つの後側の脚部のシャフト部１５（図６Ｇ参照）を両外側から挟み込むことで、自動取引装置１の２つの後側の脚部を保持する。このようにして、自動取引装置１の後側の脚部を保持部５３に保持させる動作が行われる。この後、作業者は、各脚部のシャフト部１５（図６Ｇ参照）を下方向に延ばして、各脚部を通路部５６の上に載せ、さらに、各脚部のシャフト部１５（図６Ｇ参照）を下方向に延ばす。これにより、自動取引装置１は、各脚部が通路部５６に着地するとともに、各キャスタが通路部５６から上に離間した状態になる。
【００７２】
（フットガードの構成）
図４Ｂに示すように、前フットガード４２Ｆは、左右方向に長尺で、かつ、装置本体２の前端部と設置プレート４１の前端部との間の隙間を封鎖することができるように、立体的な構造になっている。前フットガード４２Ｆの左右方向の長さ（横幅）は、設置プレート４１の左右方向の長さ（横幅）と同程度になっている。前フットガード４２Ｆの上面視形状は、設置プレート４１の前端部の形状に合わせて複数回屈曲された形状になっている。
【００７３】
後フットガード４２Ｂは、左右方向に長尺で、かつ、装置本体２の後端部と設置プレート４１の後端部との間の隙間を封鎖することができるように、立体的な構造になっている。後フットガード４２Ｂの左右方向の長さ（横幅）は、設置プレート４１の左右方向の長さ（横幅）と同程度になっている。後フットガード４２Ｂの上面視形状は、中央部が左右方向に延びるとともに、右端部と左端部とが中央部から前方向に屈曲された形状になっている。
【００７４】
後フットガード４２Ｂは、前方向に突出する前方向突出部４４を備えている。前方向突出部４４は、後フットガード４２Ｂの曲げ強度を補強する。また、前方向突出部４４は、装置本体２の後端部付近に設けられた突当部２ａ（図６Ｇ参照）と突き当たることにより、自動取引装置１の前後方向の位置を規制する前後方向位置決め部として機能する。突当部２ａ（図６Ｇ参照）は、装置本体２の底面の後端付近に設けられた突起部である。自動取引装置１は、接地プレート４１の上に載置された状態で後方に押し込まれる際に、突当部２ａ（図６Ｇ参照）が後フットプレート４２Ｂに設けられた前方向突出部４４に突き当たることにより、所望の固定位置で停止する。
【００７５】
後フットガード４２Ｂは、コード３６を通すコード引き込み部４３が貫通して設けられている。また、後フットガード４２Ｂの右端部及び左端部には、右フットガード４２Ｒ及び左フットガード４２Ｌを差し込むための溝が形成されている。
【００７６】
右フットガード４２Ｒは、前後方向に長尺で、かつ、装置本体２の右端部と設置プレート４１の右端部との間の隙間を封鎖するとともに、前フットガード４２Ｆの右端部を固定することができるように、立体的な構造になっている。右フットガード４２Ｒは、設置プレート４１の前後方向の長さよりも若干短い長さになっている。右フットガード４２Ｒの中央部及び後端部は、矩形で、かつ、平坦な板状の形状を呈している。したがって、右フットガード４２Ｒの中央部及び後端部は、同じ高さ（縦幅）で設置プレート４１の前後方向に延びる形状になっている。これに対し、右フットガード４２Ｒの前端部は、他の部位よりも高さ方向に拡幅され、かつ、その前辺部分と上辺部分とが左方向に屈曲された形状になっている。
【００７７】
左フットガード４２Ｌは、前後方向に長尺で、かつ、装置本体２の左端部と設置プレート４１の左端部との間の隙間を封鎖するとともに、前フットガード４２Ｆの左端部を固定することができるように、立体的な構造になっている。左フットガード４２Ｌは、設置プレート４１の前後方向の長さよりも若干短い長さになっている。左フットガード４２Ｌの中央部及び後端部は、矩形で、かつ、平坦な板状の形状を呈している。したがって、左フットガード４２Ｌの中央部及び後端部は、同じ高さ（縦幅）で設置プレート４１の前後方向に延びる形状になっている。これに対し、左フットガード４２Ｌの前端部は、他の部位よりも高さ方向に拡幅され、かつ、その前辺部分と上辺部分とが右方向に屈曲された形状になっている。
【００７８】
なお、本実施形態では、前扉７（図１Ａ参照）を回動可能に軸支する機構が、自動取引装置１の前端部の左端付近に配置されている。そのため、固定具４０は、左フットガード４２Ｌの前端部が右フットガード４２Ｒの前端部よりも後方（装置の奥側）に配置される形状になっている。具体的には、前フットガード４２Ｆの左端部が他の部位から後退する形状になっている。そして、前フットガード４２Ｆの左端部の後退量に合わせて、左フットガード４２Ｌの前後方向の長さが右フットガード４２Ｒの前後方向の長さよりも短くなっている。
【００７９】
後フットガード４２Ｂと右プレート４１Ｒと左プレート４１Ｌとは、それぞれに対応する複数箇所にネジ留め用の挿通孔４８が設けられている。後フットガード４２Ｂは、右プレート４１Ｒと左プレート４１Ｌとに添え当てられた状態で、挿通孔４８に通されるネジ４９（図４Ａ参照）によって右プレート４１Ｒと左プレート４１Ｌとに固定される。
【００８０】
また、前フットガード４２Ｆと右フットガード４２Ｒと左フットガード４２Ｌとは、それぞれに対応する複数箇所にネジ留め用の挿通孔４８が設けられている。前フットガード４２Ｆは、右フットガード４２Ｒと左フットガード４２Ｌとに添え当てられた状態で、挿通孔４８に通されるネジ４９（図４Ａ参照）によって右フットガード４２Ｒと左フットガード４２Ｌとに固定される。
【００８１】
＜自動取引装置の設置作業手順＞
以下、図５並びに図６Ａ乃至図６Ｋを参照して、自動取引装置１の設置作業手順につき説明する。図５は、自動取引装置１の設置作業手順を示すフローチャートである。図６Ａ乃至図６Ｋは、それぞれ、自動取引装置１の設置作業手順の説明図である。なお、ここでは、自動取引装置１が４つの脚部１１ａ，１１ｂ，１１ｃ，１１ｄと４つのキャスタ１２ａ，１２ｂ，１２ｃ，１２ｄとを有しており、図６Ｇと図６Ｈと図６Ｋは、その中の右側の２つの脚部１１ａ，１１ｂと右側の２つのキャスタ１２ａ，１２ｂとのみを示しているものとして説明する（以下、同様）。
【００８２】
図５のステップＳ１１０において、まず、作業者は、右プレート４１Ｒと左プレート４１Ｌを中央プレート４１Ｃに取り付けて、設置プレート４１を組み立てる（図６Ａ参照）。
【００８３】
次に、図５のステップＳ１２０，Ｓ１３０において、作業者は、後フットガード４２Ｂを設置プレート４１の後面に取り付け、さらに、ジェルマット６０を中央プレート４１Ｃの下面に貼り付ける（図６Ｂ参照）。
【００８４】
次に、図５のステップＳ１４０，Ｓ１５０において、作業者は、設置プレート４１を設置場所に設置し、コード引き込み部４３を介して、店舗の壁面に沿って敷設されたコード３６を後フットガード４２Ｂの後方から前方に引き込む（図６Ｃ参照）。
【００８５】
次に、図５のステップＳ１６０において、作業者は、自動取引装置１を設置プレート４１の上に載置する（図６Ｄ参照）。
【００８６】
次に、図５のステップＳ１７０，Ｓ１８０，１９０において、作業者は、上表示部３１を開けて通信装置３２をブース筐体２０の内部の上部空間２１に配置し、コード３６を通信装置３２に接続し、装置本体２の側壁面とブース筐体２０の内壁面との間の隙間３３にコード３６を収納する（図６Ｅ参照）。この後、作業者は、上表示部３１を閉める。
【００８７】
次に、図５のステップＳ２００，Ｓ２１０において、作業者は、前扉７を開けて内部ユニット１３を装置本体２の外部に引き出し、インサートナット５２を埋め込みボルト５１に取り付けて、装置本体２を中央プレート４１Ｃに固定する（図６Ｆ参照）。
【００８８】
図６Ｇ及び図６Ｈに、ステップＳ２００，Ｓ２１０の処理の具体例を示す。図６Ｇに示すように、装置本体２の底板９には、２つのインサートナット５２を通すための２つの挿通孔９ａが貫通して形成されている。各挿通孔９ａは、それぞれに対応する埋め込みボルト５１の直上の位置に形成されている。自動取引装置１の４つの脚部１１ａ，１１ｂ，１１ｃ，１１ｄと４つのキャスタ１２ａ，１２ｂ，１２ｃ，１２ｄは、それぞれ、設置プレート４１の上に配置されている。ただし、図６Ｇは、右側の２つの脚部１１ａ，１１ｂと右側の２つのキャスタ１２ａ，１２ｂとのみを示している。図６Ｈに示すように、各インサートナット５２は、装置本体２の内部から、それぞれに対応する挿通孔９ａに通されて、装置本体２の外部に対置された中央プレート４１Ｃの埋め込みボルト５１に取り付けられる。これにより、装置本体２は、中央プレート４１Ｃに固定される。
【００８９】
図５のステップＳ２１０の後、図５のステップＳ２２０，Ｓ２３０において、作業者は、内部ユニット１３（図６Ｆ参照）を装置本体２の内部に押し戻して前扉７を閉め、右フットガード４２Ｒの後端部と左フットガード４２Ｌの後端部を後フットガード４２Ｂと設置プレート４１との間（すなわち、後フットガード４２Ｂと右プレート４１Ｒとの間、並びに、後フットガード４２Ｂと左プレート４１Ｌとの間）に差し込む（図６Ｉ参照）。
【００９０】
このとき、右フットガード４２Ｒの後端部が後フットガード４２Ｂと右プレート４１Ｒとの間に差し込まれているため、右フットガード４２Ｒの前端部は、後端部を中心にして左右方向に揺動可能な状態になっている。同様に、左フットガード４２Ｌの後端部が後フットガード４２Ｂと左プレート４１Ｌとの間に差し込まれているため、左フットガード４２Ｌの前端部は、後端部を中心にして左右方向に揺動可能な状態になっている。
【００９１】
次に、図５のステップＳ２４０において、作業者は、前扉７を開けて前フットガード４２Ｆを設置プレート４１の前端部に添え当てる（図６Ｊ参照）。そして、作業者は、図４Ａに示すように、右フットガード４２Ｒと左フットガード４２Ｌとで前フットガード４２Ｆを挟み込む。このとき、作業者は、右フットガード４２Ｒの前端部を右方向に押し広げ、右フットガード４２Ｒの前端部を前フットガード４２Ｆの右端部よりも前方に配置した後に、右フットガード４２Ｒの前端部を左方向に戻す。これにより、右フットガード４２Ｒの前端部が前フットガード４２Ｆの右端部よりも前方の位置に配置される。つまり、前フットガード４２Ｆの右端部が右フットガード４２Ｒの前端部よりも内側に配置される（図４Ａ参照）。同様に、作業者は、左フットガード４２Ｌの前端部を左方向に押し広げ、左フットガード４２Ｌの前端部を前フットガード４２Ｆの左端部よりも前方に配置した後に、左フットガード４２Ｌの前端部を右方向に戻す。これにより、左フットガード４２Ｌの前端部が前フットガード４２Ｆの左端部よりも前方の位置に配置される。つまり、前フットガード４２Ｆの左端部が左フットガード４２Ｌの前端部よりも内側に配置される（図４Ａ参照）。
【００９２】
次に、図５のステップＳ２５０において、作業者は、右フットガード４２Ｒと左フットガード４２Ｌと前フットガード４２Ｆとをネジ４９で固定して（図４Ａ参照）、前扉７を閉める（図６Ｋ参照）。これにより、自動取引装置１の設置作業が終了する。
【００９３】
本実施形態に係る固定具４０は、設置プレート４１の底部の面積が自動取引装置１の底部の面積よりも小さい構成になっている。そのため、作業者は、比較的狭い設置場所に自動取引装置１を設置する場合（例えば、店舗の角部分の場所や他の装置が近接して配置された場所等のように、店舗の壁面や他の装置の壁面等で周囲が囲まれている場所に自動取引装置１を設置する場合）であっても、固定具４０を設置場所に容易に配置することができる。したがって、作業者は、自動取引装置１の設置作業を容易に行うことができる。
【００９４】
また、作業者は、例えば、店舗の移設時等のように、自動取引装置１が比較的狭い設置場所に既に設置されている場合で、かつ、別の場所に移設されるときであっても、自動取引装置１を固定具４０から取り外して撤去した後に、設置プレート４１の内側（中央プレート４１Ｃ側）や前面側からジェルマット６０に容易に接触することができる。したがって、作業者は、ジェルマット６０の剥がし作業を容易に行うことができる。
【００９５】
＜自動取引装置の移設作業手順＞
なお、自動取引装置１を移設する場合の移設作業手順は、以下のような手順となる。
（１）まず、作業者は、移設元の設置場所で図５に示すフローとは逆の手順で自動取引装置１と固定具４０の撤去作業を行う。すなわち、作業者は、固定具４０の設置プレート４１から前フットガード４２Ｆと右フットガード４２Ｒと左フットガード４２Ｌとを取り外す。そして、作業者は、インサートナット５２を取り外して装置筐体２と固定具４０との固定を解き、自動取引装置１を固定具４０の上から降ろす。この後、作業者は、中央プレート４１Ｃの下面からジェルマット６０を剥がす。そして、作業者は、設置プレート４１から後フットガードを取り外し、中央プレート４１Ｃから右プレート４１Ｒと左プレート４１Ｌとを取り外して設置プレート４１を分解する。なお、ジェルマット６０の剥がし作業は、設置プレート４１の分解作業の後に行ってもよい。
【００９６】
（２）次に、作業者は、自動取引装置１と固定具４０とを移設先の設置場所に運搬する。このとき、作業者は、固定具４０を分解した状態で移設先の設置場所（移設場所）に運搬する。
【００９７】
（３）次に、作業者は、移設先の設置場所（移設場所）で図５に示すフローの手順で固定具４０と自動取引装置１の設置作業を行う。これにより、自動取引装置１の移設作業が終了する。
【００９８】
＜固定具の主な特徴＞
本実施形態に係る固定具４０は、以下のような特徴を有している。
（１）図４Ａ及び図４Ｂに示すように、固定具４０は、複数のプレート部材で組み立てられた設置プレート４１を有している。設置プレート４１は、自動取引装置１を固定する装置固定機構（埋め込みボルト５１）を備えているとともに、設置プレート４１の底部の面積が自動取引装置１の底部の面積よりも小さい構成になっている。
【００９９】
固定具４０は、設置場所の床面に単一の設置プレート４１を設置するだけで、自動取引装置１を設置場所に良好に固定することができる。つまり、固定具４０は、前記した第１及び第２従来例と異なり、複数の部材（例えば、前記した第１及び第２従来例では粘着パーツ）のそれぞれを床面の規定の位置に正確に設置しなくても、自動取引装置１を設置場所に良好に固定することができる。このような固定具４０は、前記した第１及び第２従来例と異なり、複数の部材（例えば、前記した第１及び第２従来例では粘着パーツ）のそれぞれを床面の規定の位置に正確に設置する設置作業を不要にすることができるため、設置作業に要する手間を軽減するとともに、設置作業に要する時間を短縮することができ、自動取引装置１の設置作業の簡易化を実現することができる。
【０１００】
また、固定具４０は、設置プレート４１を比較的小型でかつ重量の軽い複数のプレート部材に分割して運搬することができるため、運搬性能に優れた構造になっている。このような固定具４０は、設置場所への運搬性及び設置の簡易性を向上させることができ、運搬時に作業者にかかる負担を軽減することができる。
【０１０１】
また、固定具４０の設置プレート４１は、底部の面積が自動取引装置１の底部の面積よりも小さい構成になっている。このような固定具４０は、周囲の部材にぶつかり難い構成にすることができるため、比較的狭い設置場所への設置性能に優れた構造になっており、例えば、比較的狭い設置場所に設置される場合であっても、容易に設置することができる。
【０１０２】
また、固定具４０の設置プレート４１は、底部の面積が自動取引装置１の底部の面積よりも小さい構成になっている。このような固定具４０は、ジェルマット６０の貼り付け箇所に作業者の手を入れ易い構造になっている。そのため、例えば、固定具４０の撤去作業を行う場合に、作業者は、ジェルマット６０に容易に接触することができる。このような固定具４０は、ジェルマット６０の剥がし作業を容易に行うことができる。また、固定具４０は、設置プレート４１を比較的小型でかつ重量の軽い複数のプレート部材に分割して運搬することができる。そのため、固定具４０は、比較的狭い設置場所からの撤去性能に優れた構造になっており、例えば、比較的狭い設置場所に一旦設置された後に、別の場所に移設される場合であっても、容易に移設することができる。しかも、固定具４０は、ジェルマット６０の剥がし作業用の工具を移設元の設置場所に持って行く必要がないため、工具の運搬に要する負担を軽減することができる。また、固定具４０は、ジェルマット６０の貼り付け箇所に作業者の手が入るか否かを検証する必要がないため、固定具４０の撤去作業に要する時間を短縮することができる。
【０１０３】
（２）図４Ｂに示すように、右プレート４１Ｒと左プレート４１Ｌとは、それぞれ、下方向に突出する下方向突出部５４を備えている。また、右プレート４１Ｒと左プレート４１Ｌとは、それぞれ、上方向に突出する上方向突出部５５を備えている。固定具４０は、下方向突出部５４と上方向突出部５５とで右プレート４１Ｒと左プレート４１Ｌとの曲げ強度を補強することができるため、自動取引装置１の荷重を良好に支えることができる。なお、下方向突出部５４の高さは、中央プレート４１Ｃの厚さとジェルマット６０の厚さとの合計の厚さに略等しく（厳密には、ジェルマット６０の圧縮量分に応じて若干短く）なっている（図６Ｇ参照）。これにより、固定具４０は、中央プレート４１Ｃのジェルマット６０と右プレート４１Ｒ及び左プレート４１Ｌの下方向突出部５４とで設置場所の床面に安定して着地することができる。また、固定具４０は、上方向突出部５５で自動取引装置１の左右方向の設置位置を規制することができる。
【０１０４】
（３）図４Ｂに示すように、上方向突出部５５は、自動取引装置１の底部に取り付けられたキャスタ及び脚部のいずれか一方又は双方の走行に用いる通路部５６を形成している。これにより、固定具４０は、自動取引装置１の設置時や撤去時に通路部５６に沿って自動取引装置１を移動させることができるため、設置時や撤去時に作業者にかかる負担を軽減することができる。
【０１０５】
（４）図４Ｂに示すように、右プレート４１Ｒと左プレート４１Ｌとは、それぞれ、保持部５３を備えている。これにより、固定具４０は、自動取引装置１の脚部を強固に保持することができる。
【０１０６】
（５）図４Ｂに示すように、中央プレート４１Ｃは、装置固定機構として機能する埋め込みボルト５１を備えている。図６Ｈに示すように、固定具４０は、自動取引装置１の底板９を介して、インサートナット５２が中央プレート４１Ｃの埋め込みボルト５１に取り付けられることによって、自動取引装置１を強固に固定することができる。
【０１０７】
（６）図４Ａ及び図４Ｂに示すように、設置プレート４１は、後フットガード４２Ｂと右フットガード４２Ｒと左フットガード４２Ｌと前フットガード４２Ｆとを取り付け及び取り外し可能な構造になっている。固定具４０は、これらのフットガード４２によって自動取引装置１の下への異物の侵入を防止することができる。なお、設置プレート４１は、好ましくは、自動取引装置１を移動させることなく、右フットガード４２Ｒと左フットガード４２Ｌと前フットガード４２Ｆとを取り付け及び取り外し可能な構造になっているとよい。これにより、固定具４０は、設置作業時間の短縮を図ることができる。
【０１０８】
（７）図４Ｂに示すように、後フットガード４２Ｂは、突起部４４を有している。固定具４０は、突起部４４で自動取引装置１の前後方向の設置位置を規制することができる。また、固定具４０は、突起部４４で後フットガード４２Ｂの曲げ強度を補強することができるため、後フットガード４２Ｂが変形しないように、自動取引装置１の押し込み時に、自動取引装置１から後フットガード４２Ｂにかかる荷重を良好に支えることができる。
【０１０９】
（８）図４Ｂに示すように、後フットガード４２Ｂには、コード引き込み部４３が設けられている。固定具４０は、コード引き込み部４３を介して、店舗の壁面に沿って敷設されたコード３６を内部に引き込むことができる。
【０１１０】
＜自動取引装置の主な特徴＞
本実施形態に係る自動取引装置１は、以下のような特徴を有している。
（１）図２Ｂに示すように、自動取引装置１の装置本体２の側壁面とその側壁面に対向するブース筐体２０の内壁面との間には、コード３６を収納可能な隙間３３が設けられている。隙間３３には、隙間埋め部材３４が配置されている。コード３６は、隙間埋め部材３４よりも後方の位置（ブース筐体２０の内部の位置）で配線されている。このような自動取引装置１は、異物が隙間３３の内部に侵入することを防止することができる。また、自動取引装置１は、コード３６が外部に露出しないように、隙間埋め込み部材３４でコード３６を隠すことができる。
【０１１１】
（２）図３に示すように、隙間埋め部材３４は、弾性部材で構成されており、指で押し込める程度の反発力を有している。隙間埋め部材３４は、好ましくは、入れ子状に複数配置されているとよい。本実施形態では、隙間埋め部材３４は、２つの隙間埋め部材３４ａと隙間埋め部材３４ｂとが入れ子状に配置された構造になっている。自動取引装置１は、このような隙間埋め部材３４を有することにより、意図せぬ負荷がコード３６にかからないように、また、悪意ある者がコード３６に接触することができないように、コード３６を保護することができる。
【０１１２】
（３）図６Ｋに示すように、自動取引装置１は、装置本体２の前側の下部に取り付けられた本体フットガード７ｆｔと、設置プレート４１に取り付けられた前フットガード４２Ｆと、を有している。本体フットガード７ｆｔと前フットガード４２Ｆとは、装置本体２が固定具４０に固定された状態において、装置本体２の前方から装置本体２の下への異物の侵入を二重に防止する侵入防止機構を構成している。自動取引装置１は、このような本体フットガード７ｆｔと前フットガード４２Ｆとを有することにより、装置本体２の前方から装置本体２の下への異物の侵入を効率よく防止することができる。その結果、例えば、自動取引装置１は、装置の保守点検等で前扉７が開けられた場合であっても、装置本体２の前方から装置本体２の下への異物の侵入を防止することができる。
【０１１３】
また、自動取引装置１は、後フットガード４２Ｂと右フットガード４２Ｒと左フットガード４２Ｌとにより、装置本体２の後方又は右方又は左方から装置本体２の下への異物の侵入を防止することができる。
【０１１４】
（４）本実施形態に係る自動取引装置１（図２Ｂ参照）は、後記する第１乃至第３比較例の自動取引装置１ａ，１ｂ，１ｃ（図８乃至図１０参照）と比較すると、以下の長所を有している。図８乃至図１０は、それぞれ、第１乃至第３比較例の自動取引装置１ａ，１ｂ，１ｃの概略図である。
【０１１５】
（ａ）図８に示すように、第１比較例の自動取引装置１ａは、本実施形態に係る自動取引装置１（図２Ｂ参照）と同様の構造の自動取引装置である。ただし、第１比較例の自動取引装置１ａは、本実施形態に係る自動取引装置１（図２Ｂ参照）と比較すると、ブース筐体２０の内部で装置本体２の後面に沿ってコード３６を配線する点で相違する。
第１比較例の自動取引装置１ａでは、作業者は、コード引き込み部４３を介してコード３６をブース筐体２０の内部に引き込み、ブース筐体２０の内部で装置本体２の後面に沿ってコード３６を配線し、そのコード３６を上部空間２１に実装された通信装置３２に接続する。このとき、作業者は、ブース筐体２０の内部に引き込んだコード３６を上部空間２１に持ち上げる。その際に、作業者は、ブース筐体２０の内部の装置本体２の後面まで手が入り難いため、工具等を用いて配線作業を行う必要がある。しかしながら、工具等を用いた配線作業は手間を要する。そのため、第１比較例の自動取引装置１ａは、配線作業に時間を要する、という課題がある。また、第１比較例の自動取引装置１ａは、配線作業用の工具の運搬を必要とするため、その分の負担を作業者にかける、という課題が生じる。
【０１１６】
これに対し、本実施形態に係る自動取引装置１（ブース筐体２０の内部で装置本体２の側面に沿ってコード３６を配線する構造の自動取引装置）では、作業者がブース筐体２０の内部に引き込んだコード３６を上部空間２１に持ち上げる際に、装置の側面（つまり、ブース筐体２０内の比較的手前の位置）に手が入ればよいため、工具等を用いて配線作業を行う必要がない。そのため、本実施形態に係る自動取引装置１は、比較的短い時間で配線作業を行うことができる。また、本実施形態に係る自動取引装置１は、配線作業用の工具の運搬を必要としないため、作業者の負担を軽減することができる。
【０１１７】
（ｂ）図９に示すように、第２比較例の自動取引装置１ｂは、本実施形態に係る自動取引装置１（図２Ｂ参照）と同様の構造の自動取引装置である。ただし、第２比較例の自動取引装置１ｂは、本実施形態に係る自動取引装置１（図２Ｂ参照）と比較すると、ブース筐体２０の外部でブース筐体２０の後面に沿ってコード３６を配線する点、上部空間２１に連通する比較的大型な開口部１３７がブース筐体２０の後面に設けられている点、及び、カバー１３８が開口部１３７に取り付けられており、コード３６を上部空間２１に引き込む際に一時的に取り外される点で相違する。なお、図９に示す例では、カバー１３８は、矩形の形状を呈しており、かつ、下辺にコード３６を通すための切欠き部が形成されている。
第２比較例の自動取引装置１ｂでは、作業者は、ブース筐体２０の後面に沿ってコード３６を配線し、そのコード３６を上部空間２１に実装された通信装置３２に接続する。その際に、作業者は、ブース筐体２０の後面まで手が入り難いため、工具等を用いて配線作業を行う必要がある。しかしながら、工具等を用いた配線作業は手間を要する。そのため、第２比較例の自動取引装置１ｂは、配線作業に時間を要する、という課題が生じる。また、第２比較例の自動取引装置１ｂは、配線作業用の工具の運搬を必要とするため、その分の負担を作業者にかける、という課題が生じる。
また、第２比較例の自動取引装置１ｂでは、作業者は、コード３６を上部空間２１に引き込むときに、開口部１３７からカバー１３８を取り外す。このとき、コード３６が装置本体２及びブース筐体２０の外部に露出する。そのため、作業者が不注意でコード３６を破損させたり、悪意ある者がコード３６に接触して悪戯したりする可能性がある。また、第２比較例の自動取引装置１ｂは、カバー１３８の取り付け・取り外し作業用の工具の運搬を必要とするため、その分の負担を作業者にかける、という課題が生じる。
【０１１８】
これに対し、本実施形態に係る自動取引装置１（ブース筐体２０の内部で装置本体２の側面に沿ってコード３６を配線する構造の自動取引装置）では、工具等を用いて配線作業を行う必要がない。そのため、本実施形態に係る自動取引装置１は、比較的短い時間で配線作業を行うことができる。また、本実施形態に係る自動取引装置１は、配線作業用の工具の運搬を必要としないため、作業者の負担を軽減することができる。
その上、本実施形態に係る自動取引装置１は、コード３６が外部に露出し難い構造になっているため、コード３６の破損や悪戯を防止することができる。また、本実施形態に係る自動取引装置１は、カバー１３８（図９参照）の取り付け・取り外し作業用の工具の運搬を必要としないため、作業者の負担を軽減することができる。
【０１１９】
（ｃ）図１０に示すように、第３比較例の自動取引装置１ｃは、本実施形態に係る自動取引装置１（図２Ｂ参照）と同様の構造の自動取引装置である。ただし、第３比較例の自動取引装置１ｃは、本実施形態に係る自動取引装置１（図２Ｂ参照）と比較すると、ブース筐体２０の外部でブース筐体２０の後面に沿ってコード３６を配線する点、上部空間２１に連通する小径の孔２３７がブース筐体２０の後面に設けられている点、及び、コードカバー２３８が小径の孔２３７とコード３６とを隠すようにブース筐体２０の後面に取り付けられている点で相違する。
第３比較例の自動取引装置１ｃでは、第２比較例の自動取引装置１ｂと同様に、作業者は、ブース筐体２０の後面に沿ってコード３６を配線し、そのコード３６を上部空間２１に実装された通信装置３２に接続する。その際に、作業者は、ブース筐体２０の後面まで手が入り難いため、工具等を用いて配線作業を行う必要がある。しかしながら、工具等を用いた配線作業は手間を要する。そのため、第３比較例の自動取引装置１ｃは、第２比較例の自動取引装置１ｂと同様に、配線作業に時間を要する、という課題が生じる。また、第３比較例の自動取引装置１ｃは、第２比較例の自動取引装置１ｂと同様に、配線作業用の工具の運搬を必要とするため、その分の負担を作業者にかける、という課題が生じる。
また、第３比較例の自動取引装置１ｃでは、装置が比較的狭い設置場所に設置されている場合（例えば、装置の側面や後面が店舗の壁面や他の装置の壁面等に囲まれた場所に装置が設置されている場合）で、かつ、コード３６を配線するときに、作業者は、装置の側面や後面に入ることができないため、設置場所から前に装置を一度引き出してからコードカバー２３８を取り外してコード３６を配線し、その後に、コードカバー２３８を取り付けて装置を押し込んで元の設置場所に戻す。したがって、第３比較例の自動取引装置１ｃは、このような場合に、装置を出し入れする作業を要するため、設置作業に時間を要するとともに、比較的大きな負担を作業者にかけてしまう、という課題が生じる。また、第３比較例の自動取引装置１ｃは、コードカバー２３８の取り付け・取り外し作業用の工具の運搬を必要とするため、その分の負担を作業者にかける、という課題が生じる。
【０１２０】
これに対し、本実施形態に係る自動取引装置１（ブース筐体２０の内部で装置本体２の側面に沿ってコード３６を配線する構造の自動取引装置）では、工具等を用いて配線作業を行う必要がない。そのため、本実施形態に係る自動取引装置１は、比較的短い時間で配線作業を行うことができる。また、本実施形態に係る自動取引装置１は、配線作業用の工具の運搬を必要としないため、作業者の負担を軽減することができる。
その上、本実施形態に係る自動取引装置１は、装置が比較的狭い設置場所に設置されている場合（例えば、装置の側面や後面が店舗の壁面や他の装置の壁面等に囲まれた場所に装置が設置されている場合）で、かつ、コード３６を配線するときに、装置の側面にコード３６を入れればよいため、装置を出し入れする作業を行わなくてよい。そのため、本実施形態に係る自動取引装置１は、このような場合に、比較的短い時間で設置作業を行うことができるとともに、作業者の負担を軽減することができる。また、本実施形態に係る自動取引装置１は、コードカバー２３８（図１０参照）の取り付け・取り外し作業用の工具の運搬を必要としないため、作業者の負担を軽減することができる。
【０１２１】
以上の通り、本実施形態に係る固定具４０によれば、自動取引装置１の設置作業の簡易化を実現することができる。
【０１２２】
なお、本発明は、前記した実施形態に限定されるものではなく、本発明の要旨を逸脱しない範囲で種々の変更や変形を行うことができる。
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【０１２３】
また、例えば、前記した実施形態では、自動取引装置が現金自動預け払い機（ＡＴＭ）である場合を想定して説明した。しかしながら、本発明は、現金自動預け払い機（ＡＴＭ）以外の自動取引装置（例えば、現金自動支払い機（ＣＤ）、自動販売機、発券機等の装置）にも適用することができる。
【０１２４】
［変形例］
＜変形例に係る固定具の構成＞
また、例えば、前記した実施形態の固定具４０は、図７Ａ乃至図７Ｄに示す固定具４０Ａのように、変形することができる。図７Ａは、変形例に係る固定具４０Ａの概略上面図である。図７Ｂは、固定具４０Ａの概略斜視図である。図７Ｃは、固定具４０Ａの左プレートの組立図である。図７Ｄは、固定具４０Ａの左プレートの概略正面図である。
【０１２５】
図７Ａ及び図７Ｂに示すように、変形例に係る固定具４０Ａは、設置プレート１４１及び前フットガード１４２Ｆを有している。
【０１２６】
変形例の設置プレート１４１は、設置プレート４１（図４Ａ及び図４Ｂ参照）と同様に、自動取引装置１を設置場所に固定するための部材である。
変形例の前フットガード１４２Ｆは、前フットガード４２Ｆ（図４Ａ及び図４Ｂ参照）と同様に、装置本体２の底部の前側に配置され、装置本体２の前方から装置本体２の下への異物の侵入を防止するための部材である。
【０１２７】
なお、変形例では、後フットガード１４２Ｂが装置本体２の後面の下端部付近にネジ４９で取り付けられている。後フットガード１４２Ｂには、後記する突起部３１３Ｒ，３１３Ｌがそれぞれ挿入される挿入孔４１３Ｒ，４１３Ｌが形成されている。
【０１２８】
変形例の設置プレート１４１は、右プレート１４１Ｒと左プレート１４１Ｌとの２つプレート部材で組み立てられている。右プレート１４１Ｒと左プレート１４１Ｌとは、それぞれ、装置本体２の下方の右側と左側とに配置されるプレート部材である。ただし、設置プレート１４１は、２つプレート部材のいずれか一方又は双方を分割したり、新たなプレート部材を付加したりすることにより、３つ以上のプレート部材で構成することも可能である。設置プレート１４１の底部の面積は、自動取引装置１の底部の面積よりも小さくなっている。
【０１２９】
右プレート１４１Ｒは、下側部分を構成する下部材２０１Ｒと、上側部分を構成する上部材３０１Ｒとを有している。下部材２０１Ｒは、底板部２１０Ｒと、底板部２１０Ｒの右辺に略鉛直方向に立設された側板部２２０Ｒとを備えており、正面視でＬ字の形状を呈している（図７Ｂ参照）。したがって、右プレート１４１Ｒの下部材２０１Ｒは、自動取引装置１の脚部１１ａ，１１ｂが載置される底板部２１０Ｒと、側面のフットガードとして機能する側板部２２０Ｒとが一体化された構造になっている。一方、上部材３０１Ｒは、天板部３１０Ｒと、天板部３１０Ｒの左辺に垂設された側板部３２０Ｒとを備えており、正面視で下部材２０１Ｒとは逆向きのＬ字の形状を呈している。
【０１３０】
同様に、左プレート１４１Ｌは、下側部分を構成する下部材２０１Ｌと、上側部分を構成する上部材３０１Ｌとを有している。下部材２０１Ｌは、底板部２１０Ｌと、底板部２１０Ｌの左辺に略鉛直方向に立設された側板部２２０Ｌとを備えており、正面視でＬ字の形状を呈している（図７Ｂ参照）。したがって、左プレート１４１Ｌの下部材２０１Ｌは、自動取引装置１の脚部１１ｃ，１１ｄが載置される底板部２１０Ｌと、側面のフットガードとして機能する側板部２２０Ｌとが一体化された構造になっている。一方、上部材３０１Ｌは、天板部３１０Ｌと、天板部３１０Ｌの左辺に垂設された側板部３２０Ｌとを備えており、正面視で下部材２０１Ｌとは逆向きのＬ字の形状を呈している。
【０１３１】
このような右プレート１４１Ｒと左プレート１４１Ｌとは、左右対称形状（つまり、左右を逆転させた形状）になっている。右プレート１４１Ｒは、側面のフットガードとして機能する側板部２２０Ｒが一体化された構造になっている。同様に、左プレート１４１Ｌは、側面のフットガードとして機能する側板部２２０Ｌが一体化された構造になっている。
【０１３２】
右プレート１４１Ｒは、下部材２０１Ｒの底板部２１０Ｒと上部材３０１Ｒの天板部３１０Ｒとの間で、自動取引装置１の脚部１１ａ，１１ｂを挟み込む。上部材３０１Ｒの天板部３１０Ｒの右辺には、自動取引装置１の脚部１１ａ，１１ｂに対応する位置にＵ字溝３１１ａ，３１１ｂが形成されている。Ｕ字溝３１１ａ，３１１ｂの中には、自動取引装置１の脚部１１ａ，１１ｂを支持するシャフト部１５が挿入される。これにより、Ｕ字溝３１１ａ，３１１ｂは、自動取引装置１の脚部１１ａ，１１ｂを保持する保持部として機能する。また、上部材３０１Ｒの天板部３１０Ｒの後辺には、前後方向に延在する突起部３１３Ｒが形成されている。突起部３１３Ｒは、後フットガード１４２Ｂに形成された挿入孔４１３Ｒに挿入される。
【０１３３】
同様に、左プレート１４１Ｌは、下部材２０１Ｌの底板部２１０Ｌと上部材３０１Ｌの天板部３１０Ｌとの間で、自動取引装置１の脚部１１ｃ，１１ｄを挟み込む。上部材３０１Ｌの天板部３１０Ｌの左辺には、自動取引装置１の脚部１１ｃ，１１ｄに対応する位置にＵ字溝３１１ｃ，３１１ｄが形成されている。Ｕ字溝３１１ｃ，３１１ｄの中には、自動取引装置１の脚部１１ｃ，１１ｄを支持するシャフト部１５が挿入される。これにより、Ｕ字溝３１１ｃ，３１１ｄは、自動取引装置１の脚部１１ｃ，１１ｄを保持する保持部として機能する。また、上部材３０１Ｌの天板部３１０Ｌの後辺には、前後方向に延在する突起部３１３Ｌが形成されている。突起部３１３Ｌは、後フットガード１４２Ｂに形成された挿入孔４１３Ｌに挿入される。
【０１３４】
右プレート１４１Ｒは、下部材２０１Ｒの下面の前端部付近及び後端部付近に、制振機能を有するジェルマット６０が貼り付けられている。同様に、左プレート１４１Ｌは、下部材２０１Ｌの下面の前端部付近及び後端部付近に、制振機能を有するジェルマット６０が貼り付けられている。
【０１３５】
右プレート１４１Ｒ及び左プレート１４１Ｌの前端部には、前フットガード１４２Ｆがネジで取り付けられる。
【０１３６】
＜自動取引装置の設置作業手順＞
作業者は、以下のようにして、固定具４０Ａを用いて自動取引装置１を設置する。
まず、作業者は、自動取引装置１（図１Ａ及び図１Ｂ参照）の底板に取り付けられたキャスタ１２ａ，１２ｂ，１２ｃ，１２ｄを使用して、自動取引装置１を設置場所まで運搬する。
【０１３７】
次に、作業者は、右プレート１４１Ｒの下部材２０１Ｒと左プレート１４１Ｌの下部材２０１Ｌとを設置場所に設置する。
【０１３８】
次に、作業者は、前扉７（図１Ａ及び図１Ｂ参照）を閉じた状態で、自動取引装置１の右後側のキャスタ１２ｂを右プレート１４１Ｒの下部材２０１Ｒの底板部２１０Ｒ上に載せるとともに、自動取引装置１の左後側のキャスタ１２ｄを左プレート１４１Ｌの下部材２０１Ｌの底板部２１０Ｌ上に載せる。
【０１３９】
次に、作業者は、自動取引装置１を後方に押し込む。このとき、自動取引装置１の右後側のキャスタ１２ｂが右プレート１４１Ｒの下部材２０１Ｒの底板部２１０Ｒ上を後方に向かって走行する。そして、自動取引装置１の右後側の脚部１２ｂと右前側の脚部１２ａとが右プレート１４１Ｒの下部材２０１Ｒの底板部２１０Ｒから上に離間した状態で底板２１０Ｒ上に侵入し、底板部２１０Ｒ上を後方に向かって移動する。さらに、自動取引装置１の右前側のキャスタ１２ａが右プレート１４１Ｒの下部材２０１Ｒの底板部２１０Ｒ上に載り、底板部２１０Ｒ上を後方に向かって走行する。同様に、自動取引装置１の左後側のキャスタ１２ｄが左プレート１４１Ｌの下部材２０１Ｌの底板部２１０Ｌ上を後方に向かって走行する。そして、自動取引装置１の左後側の脚部１２ｄと左前側の脚部１２ｃとが左プレート１４１Ｌの下部材２０１Ｌの底板部２１０Ｌから上に離間した状態で底板２１０Ｌ上に侵入し、底板部２１０Ｌ上を後方に向かって移動する。さらに、自動取引装置１の左前側のキャスタ１２ｃが左プレート１４１Ｌの下部材２０１Ｌの底板部２１０Ｌ上に載り、底板部２１０Ｌ上を後方に向かって走行する。
【０１４０】
作業者は、所望の固定位置まで自動取引装置１を押し込むと、自動取引装置１を停止させる。
【０１４１】
次に、作業者は、自動取引装置１の各脚部１１ａ，１１ｂ，１１ｃ，１１ｄのシャフト部１５を下方向に延ばして、各脚部１１ａ，１１ｂ，１１ｃ，１１ｄをそれぞれに対応する底板部２０１Ｒ，２１０Ｌ上に着地させ、さらに、各脚部１１ａ，１１ｂ，１１ｃ，１１ｄのシャフト部１５を下方向に延ばす。これにより、自動取引装置１は、各脚部１１ａ，１１ｂ，１１ｃ，１１ｄがそれぞれに対応する底板部２０１Ｒ，２１０Ｌに着地するとともに、各キャスタ１２ａ，１２ｂ，１２ｃ，１２ｄがそれぞれに対応する底板部２０１Ｒ，２１０Ｌから上に離間した状態になる。
【０１４２】
次に、図７Ｃに示す左プレート１４１Ｌのように、作業者は、右プレート１４１Ｒの下部材２０１Ｒ上に上部材３０１Ｒを配置するとともに、左プレート１４１Ｌの下部材２０１Ｌ上に上部材３０１Ｌを配置する。変形例では、装置本体２の後面の下端部付近には後フットガード１４２Ｂが取り付けられている。その後フットガード１４２Ｂには、挿入孔４１３Ｒ，４１３Ｌが形成されている。一方、右プレート１４１Ｒの上部材３０１Ｒの後端部には突起部３１３Ｒが設けられているとともに、左プレート１４１Ｌの上部材３０１Ｌの後端部には突起部３１３Ｌが設けられている。作業者は、右プレート１４１Ｒの上部材３０１Ｒの突起部３１３Ｒを後フットガード１４２Ｂの右側の挿入孔４１３Ｒに差し込む。そして、作業者は、右プレート１４１Ｒの上部材３０１Ｒの右辺が下部材２０１Ｒの側板部２２０Ｒの内壁面に当接するように、上部材３０１Ｒの前端部を右方向に移動させる。これにより、自動取引装置１の右側の脚部１１ａ，１１ｂのシャフト部１５が右プレート１４１Ｒの上部材３０１Ｒに形成されたＵ字溝３１１ａ，３１１ｂの中に挿入される。その結果、自動取引装置１の右側の脚部１１ａ，１１ｂが右プレート１４１Ｒの上部材３０１Ｒに形成されたＵ字溝３１１ａ，３１１ｂに引っ掛けられる。同様に、作業者は、左プレート１４１Ｌの上部材３０１Ｌの突起部３１３Ｌを後フットガード１４２Ｂの左側の挿入孔４１３Ｌに差し込む。そして、作業者は、左プレート１４１Ｌの上部材３０１Ｌの左辺が下部材２０１Ｌの側板部２２０Ｌの内壁面に当接するように、上部材３０１Ｌの前端部を左方向に移動させる。これにより、自動取引装置１の左側の脚部１１ｃ，１１ｄのシャフト部１５が左プレート１４１Ｌの上部材３０１Ｌに形成されたＵ字溝３１１ｃ，３１１ｄの中に挿入される。その結果、自動取引装置１の左側の脚部１１ｃ，１１ｄが左プレート１４１Ｌの上部材３０１Ｌに形成されたＵ字溝３１１ｃ，３１１ｄに引っ掛けられる。
【０１４３】
図７Ｃに示す左プレート１４１Ｌのように、右プレート１４１Ｒの下部材２０１Ｒと左プレート１４１Ｌの下部材２０１Ｌは、それぞれ、ネジ留め用の締結部２４９を備えている。また、右プレート１４１Ｒの上部材３０１Ｒと左プレート１４１Ｌの上部材３０１Ｌは、それぞれ、ネジ留め用の締結部３４９を備えている。作業者は、右プレート１４１Ｒの下部材２０１Ｒの締結部２４９と上部材３０１Ｒの締結部３４９とをネジ４９（図７Ｂ参照）で締結する。これにより、自動取引装置１の右側の脚部１１ａ，１１ｂが右プレート１４１Ｒで固定される。同様に、作業者は、左プレート１４１Ｌの下部材２０１Ｌの締結部２４９と上部材３０１Ｌの締結部３４９とをネジ４９（図７Ｂ参照）で締結する。これにより、自動取引装置１の左側の脚部１１ｃ，１１ｄが左プレート１４１Ｌで固定される。
【０１４４】
このとき、自動取引装置１は、右側の脚部１１ａ，１１ｂが右プレート１４１Ｒの下部材２０１Ｒと上部材３０１Ｒとの間に配置され、左側の脚部１１ｃ，１１ｄが左プレート１４１Ｌの下部材２０１Ｌと上部材３０１Ｌとの間に配置された状態になっている。また、自動取引装置１は、右側のキャスタ１２ａ，１２ｂが右プレート１４１Ｒの上部材３０１Ｒ上に配置され、左側のキャスタ１２ｃ，１２ｄが左プレート１４１Ｌの上部材３０１Ｌ上に配置された状態になっている。図７Ｄは、このときの自動取引装置１の左下部分を前方から見た状態を示している。
【０１４５】
次に、作業者は、前フットガード１４２Ｆをネジで右プレート１４１Ｒ及び左プレート１４１Ｌの前端部に取り付ける。なお、前フットガード１４２Ｆの取り付けは、右プレート１４１Ｒの下部材２０１Ｒの締結部２４９と上部材３０１Ｒの締結部３４９とをネジ４９で締結するとともに、左プレート１４１Ｌの下部材２０１Ｌの締結部２４９と上部材３０１Ｌの締結部３４９とをネジ４９で締結する際に、前フットガード１４２Ｆも一緒に締結することによって、行うようにしてもよい。
【０１４６】
＜変形例に係る固定具の主な特徴＞
変形例に係る固定具４０Ａの設置プレート１４１は、右プレート１４１Ｒと左プレート１４１Ｌとで組み立てられている。そして、設置プレート１４１は、底部の面積が自動取引装置１の底部の面積よりも小さい構成になっている。このような固定具４０Ａは、比較的小型でかつ重量の軽い構造になっている。そのため、固定具４０Ａは、運搬性能に優れた構造になっている。このような固定具４０Ａは、前記した実施形態に係る固定具４０と同様に、設置場所への運搬性及び設置の簡易性を向上させることができ、運搬時に作業者にかかる負担を軽減することができる。
【０１４７】
また、固定具４０Ａの設置プレート１４１は、底部の面積が自動取引装置１の底部の面積よりも小さい構成になっている。このような固定具４０Ａは、前記した実施形態に係る固定具４０と同様に、周囲の部材にぶつかり難い構成になっているため、比較的狭い設置場所への設置性能に優れた構造になっており、例えば、比較的狭い設置場所に設置される場合であっても、容易に設置することができる。
【０１４８】
また、固定具４０Ａは、ジェルマット６０の貼り付け箇所に作業者の手を入れ易い構造になっているため、ジェルマット６０の剥がし作業を容易に行うことができる。このような固定具４０Ａは、前記した実施形態に係る固定具４０と同様に、比較的狭い設置場所からの撤去性能に優れた構造になっており、例えば、比較的狭い設置場所に一旦設置された後に、別の場所に移設される場合であっても、容易に移設することができる。また、固定具４０Ａは、前記した実施形態に係る固定具４０と同様に、ジェルマット６０の剥がし作業用の工具を移設元の設置場所に持って行く必要がないため、工具の運搬に要する負担を軽減することができる。また、固定具４０Ａは、前記した実施形態に係る固定具４０と同様に、ジェルマット６０の貼り付け箇所に作業者の手が入るか否かを検証する必要がないため、固定具４０Ａの撤去作業に要する時間を短縮することができる。
【０１４９】
また、変形例に係る固定具４０Ａを用いる自動取引装置１は、本体フットガード７ｆｔと前フットガード１４２Ｆとにより、装置本体２の前方から装置本体２の下への異物の侵入を二重に防止することができる。その結果、例えば、自動取引装置１は、装置の保守点検等で前扉７が開けられた場合であっても、装置本体２の前方から装置本体２の下への異物の侵入を防止することができる。
【０１５０】
また、変形例に係る固定具４０Ａを用いる自動取引装置１は、後フットガード１４２Ｂと右プレート１４１Ｒの側板部２２０Ｒと左プレート１４１Ｌの側板部２２０Ｌとにより、装置本体２の後方又は右方又は左方から装置本体２の下への異物の侵入を防止することができる。
【符号の説明】
【０１５１】
１    自動取引装置
２    装置本体
２ａ    突当部
３    表示入力部
４    カード明細口
５    紙幣口
６    番号入力部
７    前扉
７ｆｔ    本体フットガード
８    側壁面
９    底板
９ａ    挿通孔
１１（１１ａ，１１ｂ，１１ｃ，１１ｄ）    脚部
１２（１２ａ，１２ｂ，１２ｃ，１２ｄ）    キャスタ
１３    内部ユニット
１４    レール機構
１５    シャフト部
２０    ブース筐体
２１    上部空間
２２    下部空間
２３    仕切り板
２３ａ    切欠部
２４    棚
２５    制御装置
２６，２７，４７，４８    挿通孔
２８    内壁面
３１    上表示部
３２    通信装置
３３    隙間
３４（３４ａ，３４ｂ）    隙間埋め部材
３６    コード（外部配線）
４０    固定具
４１    設置プレート
４１Ｃ    中央プレート
４１Ｒ    右プレート
４１Ｌ    左プレート
４２    フットガード
４２Ｂ    後フットガード
４２Ｒ    右フットガード
４２Ｌ    左フットガード
４２Ｆ    前フットガード
４３    コード引き込み部（開口部）
４４    前方向突出部（前後方向位置決め部）
４９    ネジ
５１    埋め込みボルト（雄ネジ部）
５２    インサートナット（雌ネジ部）
５３    保持部
５４    下方向突出部
５５    上方向突出部（左右方向位置決め部）
５６    通路部
６０    ジェルマット（弾性部材）
４０Ａ    固定具
１４１    設置プレート
１４１Ｒ    右プレート
１４１Ｌ    左プレート
１４２Ｂ    後フットガード
１４２Ｆ    前フットガード
２０１Ｒ，２０１Ｌ    下部材
２１０Ｒ，２１０Ｌ    底板部
２２０Ｒ，２２０Ｌ    側板部（フットガード）
２４９，３４９    締結部
３０１Ｒ，３０１Ｌ    上部材
３１０Ｒ，３１０Ｌ    天板部
３１１ａ，３１１ｂ，３１１ｃ，３１１ｄ    Ｕ字溝（保持部）
３１３Ｒ，３１３Ｌ    突起部
３２０Ｒ，３２０Ｌ    側板部
４１３Ｒ，４１３Ｌ    挿入孔
Ｐ６０    中央プレートの下面の角部近傍
【図１Ａ】
2019046127.tif 000003
【図１Ｂ】
2019046127.tif 000004
【図２Ａ】
2019046127.tif 000005
【図２Ｂ】
2019046127.tif 000006
【図３】
2019046127.tif 000007
【図４Ａ】
2019046127.tif 000008
【図４Ｂ】
2019046127.tif 000009
【図５】
2019046127.tif 000010
【図６Ａ】
2019046127.tif 000011
【図６Ｂ】
2019046127.tif 000012
【図６Ｃ】
2019046127.tif 000013
【図６Ｄ】
2019046127.tif 000014
【図６Ｅ】
2019046127.tif 000015
【図６Ｆ】
2019046127.tif 000016
【図６Ｇ】
2019046127.tif 000017
【図６Ｈ】
2019046127.tif 000018
【図６Ｉ】
2019046127.tif 000019
【図６Ｊ】
2019046127.tif 000020
【図６Ｋ】
2019046127.tif 000021
【図７Ａ】
2019046127.tif 000022
【図７Ｂ】
2019046127.tif 000023
【図７Ｃ】
2019046127.tif 000024
【図７Ｄ】
2019046127.tif 000025
【図８】
2019046127.tif 000026
【図９】
2019046127.tif 000027
【図１０】
2019046127.tif 000028